(57)【要約】【課題】おやすみ暖房運転時に室内の天井側に暖気が滞留するのを防ぐことにより、快適性を向上できる空気調和機を提供する。【解決手段】空気調和機は、圧縮機１１と室外熱交換器１３と電動膨張弁１４と室内熱交換器１５が環状に接続された冷媒回路と、室外熱交換器１３に外気を供給する室外ファン１０と、室内熱交換器１５に室内空気を供給する室内ファン２０と、暖房運転時に室内ファン２０からの吹出空気の風向を上向きにする風向制御部１００ｄと、暖房運転時に風向制御部１００ｄにより吹出空気の風向を上向きにしたとき、室内ファン２０により室内熱交換器１５を介して吹き出す空気の温度が基準温度を超えないように、圧縮機１１の運転周波数を制御する暖気循環促進部を備える。【選択図】図１
2016090113.tif 000002
【特許請求の範囲】
【請求項１】
圧縮機(１１)と室外熱交換器(１３)と減圧機構(１４)と室内熱交換器(１５)が環状に接続された冷媒回路と、
上記室外熱交換器(１３)に外気を供給する室外ファン(１０)と、
上記室内熱交換器(１５)を介して室内空気を循環させる室内ファン(２０)と、
暖房運転時に上記室内ファン(２０)からの吹出空気の風向を制御する風向制御部(１００ｄ)と、
暖房運転時に上記風向制御部(１００ｄ)により吹出空気の風向を上向きにしたとき、上記室内ファン(２０)により上記室内熱交換器(１５)を介して吹き出す空気の温度または上記室内熱交換器(１５)の温度が基準温度を超えないように、上記圧縮機(１１)の運転周波数、上記室内ファン(２０)の回転数または上記室外ファン(１０)の回転数の少なくとも１つを制御する暖気循環促進部(１００ａ,１００ｅ,１００ｆ)と
を備えたことを特徴とする空気調和機。
【請求項２】
請求項１に記載の空気調和機において、
上記暖気循環促進部(１００ａ,１００ｅ,１００ｆ)は、暖房運転時に上記風向制御部(１００ｄ)により吹出空気の風向を上向きにしたとき、上記室内ファン(２０)により上記室内熱交換器(１５)を介して吹き出す空気の温度または上記室内熱交換器(１５)の温度が上記基準温度を超えないように、上記圧縮機(１１)の運転周波数を制御する圧縮機制御部(１００ｅ)を有することを特徴とする空気調和機。
【請求項３】
請求項１または２に記載の空気調和機において、
上記暖気循環促進部(１００ａ,１００ｅ,１００ｆ)は、上記室内熱交換器(１５)の温度がピークカット制御用基準温度を越えないように、上記圧縮機(１１)の運転周波数を制限するピークカット制御部(１００ｆ)を有し、
上記ピークカット制御部(１００ｆ)は、暖房運転時に上記風向制御部(１００ｄ)により吹出空気の風向を上向きにしたときは、上記ピークカット制御用基準温度の代わりに、上記ピークカット制御用基準温度よりも低い上記基準温度を用いることを特徴とする空気調和機。
【請求項４】
請求項１から３までのいずれか１つに記載の空気調和機において、
上記暖気循環促進部(１００ａ,１００ｅ,１００ｆ)は、暖房運転時に上記風向制御部(１００ｄ)により吹出空気の風向を上向きにしたとき、上記室内ファン(２０)の吹出風量が最小になるように上記室内ファン(２０)の回転数を制御する室内ファン制御部(１００ａ)を有することを特徴とする空気調和機。
【請求項５】
請求項１から４までのいずれか１つに記載の空気調和機において、
上記暖気循環促進部(１００ａ,１００ｅ,１００ｆ)は、暖房運転時に上記風向制御部(１００ｄ)により吹出空気の風向を上向きにしたとき、かつ、風量自動モードで上記室内ファン(２０)の吹出風量を最小にしたとき、上記室内ファン(２０)により上記室内熱交換器(１５)を介して吹き出す空気の温度または上記室内熱交換器(１５)の温度が上記基準温度を超えないように、上記圧縮機(１１)の運転回転数または上記室外ファン(１０)の回転数の少なくとも１つを制御することを特徴とする空気調和機。
【発明の詳細な説明】
【技術分野】
【０００１】
この発明は、空気調和機に関する。
【背景技術】
【０００２】
従来、空気調和機としては、おやすみタイマーによる冷房運転時に、圧縮機の運転率に応じて室内ファンの回転数を制御するものがある(例えば、特開平０７−１７４３９５号公報(特許文献１)参照)。上記空気調和機では、就寝中、圧縮機の運転率が高い場合は、室内ファンの風量を上げて寝苦しさを緩和し、圧縮機の運転率が低い場合は、室内ファンの風量を下げて送風で肌寒く感じないようにしている。
【先行技術文献】
【特許文献】
【０００３】
【特許文献１】特開平０７−１７４３９５号公報
【発明の概要】
【発明が解決しようとする課題】
【０００４】
しかしながら、上記空気調和機では、おやすみタイマーによる暖房運転時に、人に直接風が当たらないように吹出風向を上向きにするため、室内ファンの回転数を下げて吹出風量を少なくすると、吹出空気の温度が高くなって、温風が拡散せずに室内の天井付近に暖気が滞留するという問題がある。上記空気調和機では、室内の天井付近に暖気が滞留すると、壁面の高い位置に設置された室内機の温度センサにより検出される室内温度も高くなって、最適な暖房運転ができなくなるため、快適性が損なわれてしまう。
【０００５】
そこで、この発明の課題は、おやすみ暖房運転時に室内の天井側に暖気が滞留するのを防ぐことにより、快適性を向上できる空気調和機を提供することにある。
【課題を解決するための手段】
【０００６】
上記課題を解決するため、この発明の空気調和機は、
圧縮機と室外熱交換器と減圧機構と室内熱交換器が環状に接続された冷媒回路と、
上記室外熱交換器に外気を供給する室外ファンと、
上記室内熱交換器を介して室内空気を循環させる室内ファンと、
暖房運転時に上記室内ファンからの吹出空気の風向を制御する風向制御部と、
暖房運転時に上記風向制御部により吹出空気の風向を上向きにしたとき、上記室内ファンにより上記室内熱交換器を介して吹き出す空気の温度または上記室内熱交換器の温度が基準温度を超えないように、上記圧縮機の運転周波数、上記室内ファンの回転数または上記室外ファンの回転数の少なくとも１つを制御する暖気循環促進部と
を備えたことを特徴とする。
【０００７】
上記構成によれば、暖房運転時に風向制御部により吹出空気の風向を上向きにしたとき、室内ファンにより室内熱交換器を介して吹き出す空気の温度(または室内熱交換器の温度)が基準温度を超えないように、暖気循環促進部により、圧縮機の運転周波数、室内ファンの回転数または室外ファンの回転数の少なくとも１つを制御する。これにより、例えば就寝時の吹出風量を抑えて上向きに温風を吹き出すおやすみ暖房運転において、室内に吹き出す空気の温度を基準温度以下に下げることによって、吹き出した温風が拡散しやすくなって室内における暖気の循環を促進する。これによって、室内の天井側に暖気が滞留するのを防ぐことができ、快適性を向上できる。
【０００８】
また、一実施形態の空気調和機では、
上記暖気循環促進部は、暖房運転時に上記風向制御部により吹出空気の風向を上向きにしたとき、上記室内ファンにより上記室内熱交換器を介して吹き出す空気の温度または上記室内熱交換器の温度が上記基準温度を超えないように、上記圧縮機の運転周波数を制御する圧縮機制御部を有する。
【０００９】
上記実施形態によれば、暖房運転時に風向制御部により吹出空気の風向を上向きにしたとき、室内ファンにより室内熱交換器を介して吹き出す空気の温度(または室内熱交換器の温度)が基準温度を超えないように、暖気循環促進部の圧縮機制御部により圧縮機の運転周波数を制御するので、室内ファンの回転数を上げることで送風音が大きくなったり、室外ファンの回転数を下げることで室外熱交換器が着霜したりすることがなく、室内の天井側に暖気が滞留するのを防ぐことができる。
【００１０】
また、一実施形態の空気調和機では、
上記暖気循環促進部は、上記室内熱交換器の温度がピークカット制御用基準温度を越えないように、上記圧縮機の運転周波数を制限するピークカット制御部を有し、
上記ピークカット制御部は、暖房運転時に上記風向制御部により吹出空気の風向を上向きにしたときは、上記ピークカット制御用基準温度の代わりに、上記ピークカット制御用基準温度よりも低い上記基準温度を用いる。
【００１１】
上記実施形態によれば、暖房運転時に風向制御部により吹出空気の風向を上向きにしたときは、暖気循環促進部のピークカット制御部において、ピークカット制御用基準温度の代わりに、ピークカット制御用基準温度よりも低い基準温度を用いることにより、ピークカット制御部による圧縮機の運転周波数を制限することで、室内に吹き出す空気の温度を基準温度以下に下げる。このようにして、冷媒回路内の圧力が高圧異常とならないように圧縮機の運転周波数の上限を制限するためのピークカット制御部を利用して、室内の天井側への暖気の滞留を防ぐことができる。
【００１２】
また、一実施形態の空気調和機では、
上記暖気循環促進部は、暖房運転時に上記風向制御部により吹出空気の風向を上向きにしたとき、上記室内ファンの吹出風量が最小になるように上記室内ファンの回転数を制御する室内ファン制御部を有する。
【００１３】
上記実施形態によれば、暖房運転時に風向制御部により吹出空気の風向を上向きにしたとき、暖気循環促進部の室内ファン制御部によって、室内ファンの吹出風量が最小になるように室内ファンの回転数を制御するので、ファン送風音を低減できる。
【００１４】
また、一実施形態の空気調和機では、
上記暖気循環促進部は、暖房運転時に上記風向制御部により吹出空気の風向を上向きにしたとき、かつ、風量自動モードで上記室内ファンの吹出風量を最小にしたとき、上記室内ファンにより上記室内熱交換器を介して吹き出す空気の温度または上記室内熱交換器の温度が上記基準温度を超えないように、上記圧縮機の運転回転数または上記室外ファンの回転数の少なくとも１つを制御する。
【００１５】
上記実施形態によれば、暖房運転時に風向制御部により吹出空気の風向を上向きにしたとき、室内温度や目標温度などに基づいて室内ファン制御部が吹出風量を制御する風量自動モードにおいて室内ファンの吹出風量が最小になった場合、室内熱交換器を介して吹き出す空気の温度(または室内熱交換器の温度)が基準温度を超えないように、圧縮機の運転回転数または室外ファンの回転数の少なくとも１つを制御するので、風量自動モードにおいても吹出風量が最小になったとき、室内の天井側への暖気の滞留を防ぐことができる。
【発明の効果】
【００１６】
以上より明らかなように、この発明によれば、おやすみ暖房運転時に室内の天井側に暖気が滞留するのを防ぐことにより、快適性を向上できる空気調和機を実現することができる。
【図面の簡単な説明】
【００１７】
【図１】図１はこの発明の実施の一形態の空気調和機の室内機と室外機の冷媒回路の回路図である。
【図２】図２は上記空気調和機の制御ブロック図である。
【図３】図３は上記空気調和機の冷房運転およびおやすみ冷房運転時の風量自動モードのゾーン制御を説明するための図である。
【図４】図４は上記空気調和機のおやすみ冷房運転時のゾーン毎の風量タップを示す表である。
【図５】図５は上記空気調和機の通常の冷房運転時のゾーン毎の風量タップを示す表である。
【図６】図６は上記空気調和機の暖房運転時およびおやすみ暖房運転時の風量自動モードのゾーン制御を説明するための図である。
【図７】図７は上記空気調和機のおやすみ暖房運転時のゾーン毎の風量タップを示す表である。
【図８】図８は上記空気調和機の通常の暖房運転時のゾーン毎の風量タップを示す表である。
【図９】図９は上記空気調和機の室内機を室内の壁に設置した状態を示す模式図である。
【発明を実施するための形態】
【００１８】
以下、この発明の空気調和機を図示の実施の形態により詳細に説明する。
【００１９】
図１はこの発明の実施の一形態の空気調和機の室内機２およびその室内機２に連絡配管Ｌ１,Ｌ２を介して接続された室外機１の冷媒回路を示している。この実施の形態の空気調和機は、室内機２と室外機１が一対一のペア型の空気調和機である。
【００２０】
この実施の形態の空気調和機は、図１に示すように、圧縮機１１と、圧縮機１１の吐出側が一端に接続された四路切換弁１２と、四路切換弁１２の他端に一端が接続された室外熱交換器１３と、室外熱交換器１３の他端に一端が接続された減圧機構の一例としての電動膨張弁１４と、電動膨張弁１４の他端に閉鎖弁２１,連絡配管Ｌ１を介して一端が接続された室内熱交換器１５と、室内熱交換器１５の他端に連絡配管Ｌ２,閉鎖弁２２,四路切換弁１２を介して一端が接続され、他端が圧縮機１１の吸入側に接続されたアキュムレータ１６とを備えている。また、上記空気調和機は、室外熱交換器１３に外気を供給する室外ファン１０と、室内熱交換器１５を介して室内空気を循環させる室内ファン２０を備えている。
【００２１】
上記室内熱交換器１５は、連絡配管Ｌ１が一端に接続された補助熱交換器１５ａと、補助熱交換器１５ａの他端が一端に接続され、連絡配管Ｌ２が他端に接続された主熱交換器１５ｂを有する。
【００２２】
上記圧縮機１１,四路切換弁１２,室外熱交換器１３,電動膨張弁１４,室内熱交換器１５およびアキュムレータ１６を環状に接続することで冷媒回路を構成している。
【００２３】
また、上記圧縮機１１,四路切換弁１２,室外熱交換器１３,電動膨張弁１４,アキュムレータ１６,室外ファン１０で室外機１を構成すると共に、室内熱交換器１５,室内ファン２０で室内機２を構成している。
【００２４】
上記室外機１は、室外熱交換器１３の温度を検出する室外熱交換器温度センサＴ１と、外気温度を検出する外気温度センサＴ２と、電動膨張弁１４の蒸発温度を検出する蒸発温度センサＴ３を備えている。
【００２５】
また、上記室内機２は、室内熱交換器１５の温度を検出する室内熱交換器温度センサＴ４と、室内温度を検出する室内温度センサＴ５を備えている。
【００２６】
また、上記空気調和機は、室外熱交換器温度センサＴ１,外気温度センサＴ２,蒸発温度センサＴ３,室内熱交換器温度センサＴ４,室内温度を検出する室内温度センサＴ５からの信号などに基づいて、圧縮機１１,室外ファン１０,室内ファン２０等を制御する制御装置１００を備えている。
【００２７】
図２は上記空気調和機の制御ブロック図を示している。
【００２８】
図２に示すように、制御装置１００は、室外熱交換器温度センサＴ１,外気温度センサＴ２,蒸発温度センサＴ３,室内熱交換器温度センサＴ４,室内温度を検出する室内温度センサＴ５からの信号が入力される。また、制御装置１００に、圧縮機１１と四路切換弁１２と電動膨張弁１４と室外ファン１０と室内ファン２０と表示部３０などを接続している。表示部３０は、室内機２に設けられ、少なくとも運転状態を表示するＬＥＤなどである。
【００２９】
また、制御装置１００は、マイクロコンピュータと入出力回路などからなり、室内ファン２０の風量を制御する室内ファン制御部１００ａと、室内ファン制御部１００ａの第１風量パターンと第２風量パターンを切り換える風量パターン切換部１００ｂと、表示部３０を制御する表示制御部１００ｃと、室内ファン２０からの吹出空気の風向を制御する風向制御部１００ｄと、圧縮機１１の運転周波数を制御する圧縮機制御部１００ｅと、圧縮機１１の運転周波数を制限するピークカット制御部１００ｆを有する。この制御装置１００は、室外機１側の室外制御部(図示せず)と室内機２側の室内制御部(図示せず)で構成されている。
【００３０】
また、上記室内ファン制御部１００ａと圧縮機制御部１００ｅとピークカット制御部１００ｆで暖気循環促進部を構成している。
【００３１】
上記制御装置１００は、室外熱交換器温度センサＴ１,外気温度センサＴ２,蒸発温度センサＴ３,室内熱交換器温度センサＴ４,室内温度センサＴ５からの信号などに基づいて、圧縮機１１,四路切換弁１２,電動膨張弁１４,室外ファン１０,室内ファン２０などを制御する。
【００３２】
＜冷房運転＞
上記構成の空気調和機において、冷房運転時は、四路切換弁１２を実線の切換え位置に切り換えて、圧縮機１１を起動すると、圧縮機１１から吐出された高温高圧の冷媒が四路切換弁１２を介して室外熱交換器１３に流入する。そして、室外熱交換器１３で凝縮した冷媒は、電動膨張弁１４で減圧された後に室内熱交換器１５(補助熱交換器１５ａおよび主熱交換器１５ｂ)に入る。上記室内熱交換器１５で蒸発した冷媒が四路切換弁１２およびアキュムレータ１６を介して圧縮機１１の吸入側に戻る(冷房サイクル)。こうして、圧縮機１１,室外熱交換器１３,電動膨張弁１４,室内熱交換器１５およびアキュムレータ１６の順に冷媒が循環し、室内ファン２０により蒸発器として機能する室内熱交換器１５を介して室内空気を循環させて室内を冷房する。
【００３３】
＜除湿運転＞
除湿運転時は、冷房運転時と同様に、四路切換弁１２を実線の切換え位置にして、圧縮機１１,室外熱交換器１３,電動膨張弁１４,室内熱交換器１５およびアキュムレータ１６の順に冷媒が循環させる(除湿サイクル)。ここで、室内熱交換器１５は、補助熱交換器１５ａの一部だけが蒸発域となって残りの領域が過熱域となると共に、主熱交換器１５ｂが過熱域となる。
【００３４】
この除湿運転では、室外機１の蒸発温度センサＴ３(図１に示す)により検出された蒸発温度(電動膨張弁１４の下流側)と、室内機２の室内温度センサＴ５により検出された室内温度(室内機２の吸込空気の温度)に基づいて、補助熱交換器１５ａの液冷媒が蒸発する蒸発域の範囲が負荷に応じて変化するように、制御装置１００によって圧縮機１１の運転周波数と電動膨張弁１４の開度を制御する。
【００３５】
＜暖房運転＞
また、暖房運転時、四路切換弁１２を点線の切換え位置に切り換えて、圧縮機１１を起動すると、圧縮機１１から吐出された高温高圧の冷媒が四路切換弁１２を介して室内熱交換器１５(補助熱交換器１５ａおよび主熱交換器１５ｂ)に流入する。そして、上記室内熱交換器１５で凝縮した冷媒は、電動膨張弁１４で減圧された後に室外熱交換器１３に入る。上記室外熱交換器１３で蒸発した冷媒が四路切換弁１２およびアキュムレータ１６を介して圧縮機１１の吸入側に戻る(暖房サイクル)。こうして、上記圧縮機１１,室内熱交換器１５,電動膨張弁１４,室外熱交換器１３およびアキュムレータ１６で構成された冷媒回路を冷媒が循環し、凝縮器として機能する室内熱交換器１５を介して室内ファン２０により室内空気を循環させて室内を暖房する。
【００３６】
上記空気調和機は、リモートコントローラ(図示せず)によって、冷房運転、除湿運転および暖房運転などのいずれかの運転モードを選択して運転開始操作を行ったり、運転切換操作や運転停止操作を行ったりすることができる。また、リモートコントローラでは、室内温度の設定温度を設定したり、室内ファン２０の回転数を変化させて室内機２の吹出風量を変更したりできる。
【００３７】
＜冷房運転およびおやすみ冷房運転時の風量自動モード＞
図３は上記空気調和機の冷房運転およびおやすみ冷房運転時の風量自動モードのゾーン制御を説明するための図である。
【００３８】
図３において、冷房運転およびおやすみ冷房運転の△ｔ(＝室内温度−目標温度)の下降時と上昇時において、△ｔに応じたゾーンＡ〜Ｊが以下のとおり設定されている。
（△ｔの下降時）
△ｔ  ≧  ２．５℃  ：  Ｊ
２．５℃  ＞  △ｔ  ≧  ２．０℃  ：  Ｉ
２．０℃  ＞  △ｔ  ≧  １．５℃  ：  Ｈ
１．５℃  ＞  △ｔ  ≧  １．０℃  ：  Ｇ
１．０℃  ＞  △ｔ  ≧  ０．５℃  ：  Ｆ
０．５℃  ＞  △ｔ  ≧      ０℃  ：  Ｅ
０℃  ＞  △ｔ  ≧−０．５℃  ：  Ｄ
−０．５℃  ＞  △ｔ  ≧−１．０℃  ：  Ｃ
−１．０℃  ＞  △ｔ  ≧−１．５℃  ：  Ｂ
−１．５℃  ＞  △ｔ                ：  Ａ
（△ｔの上昇時）
△ｔ  ≧  ３．０℃  ：  Ｊ
３．０℃  ＞  △ｔ  ≧  ２．５℃  ：  Ｉ
２．５℃  ＞  △ｔ  ≧  ２．０℃  ：  Ｈ
２．０℃  ＞  △ｔ  ≧  １．５℃  ：  Ｇ
１．５℃  ＞  △ｔ  ≧  １．０℃  ：  Ｆ
１．０℃  ＞  △ｔ  ≧  ０．５℃  ：  Ｅ
０．５℃  ＞  △ｔ  ≧      ０℃  ：  Ｄ
０℃  ＞  △ｔ  ≧−０．５℃  ：  Ｃ
−０．５℃  ＞  △ｔ  ≧−１．５℃  ：  Ｂ
−１．５℃  ＞  △ｔ                ：  Ａ
【００３９】
また、図４は上記空気調和機のおやすみ冷房運転時のゾーンＡ〜Ｊ毎のタップ(室内ファン回転数)を示しており、図５は上記空気調和機の通常の冷房運転時のゾーンＡ〜Ｊ毎のタップ(室内ファン回転数)を示している。ここで、上記空気調和機には、ＭＨタップ,Ｍタップ,ＭＬタップ,Ｌタップ,Ｓタップの５つのタップが次のように風量の大きい順に設けられている。
ＭＨタップの風量 ＞ Ｍタップの風量＞ ＭＬタップの風量＞ Ｌタップの風量＞ Ｓタップの風量
【００４０】
図４に示すように、おやすみ冷房運転時の下降時は、Ｍタップ,ＭＬタップ,Ｌタップ,Ｓタップの順に吹出風量が少なくなる一方、おやすみ冷房運転時の上昇時は、Ｓタップ,Ｌタップ,ＭＬタップ,Ｍタップの順に吹出風量が多くなる。
【００４１】
このおやすみ冷房運転時の下降時の△ｔ(＝室内温度−目標温度)がゾーンＪ,Ｉ,ＨではＭタップ、ゾーンＧ,ＦではＭＬタップ、ゾーンＥ,ＤではＬタップ、ゾーンＣ,ＢではＳタップとなっており、△ｔがゾーンＡではサーモオフ状態になる。
【００４２】
また、おやすみ冷房運転時の上昇時の△ｔ(＝室内温度−目標温度)がゾーンＪ,ＩではＭタップ、ゾーンＨ,ＧではＭＬタップ、ゾーンＦ,ＥではＬタップ、ゾーンＤ,ＣではＳタップとなっており、△ｔがゾーンＢ,Ａではサーモオフ状態になる。
【００４３】
また、図５に示すように、冷房運転時の下降時は、ＭＨタップ,Ｍタップ,ＭＬタップ,Ｌタップの順に吹出風量が少なくなる一方、冷房運転時の上昇時は、Ｌタップ,ＭＬタップ,Ｍタップ,ＭＨタップの順に吹出風量が多くなる。
【００４４】
この冷房運転時の下降時の△ｔ(＝室内温度−目標温度)がゾーンＪ,ＩではＭＨタップ、ゾーンＨ,ＧではＭタップ、ゾーンＦ,Ｅ,Ｄ,ＣではＭＬタップ、ゾーンＢではＬタップとなっており、△ｔがゾーンＡではサーモオフ状態になる。
【００４５】
また、冷房運転時の上昇時の△ｔ(＝室内温度−目標温度)がゾーンＪではＭＨタップ、ゾーンＩ,ＨではＭタップ、ゾーンＧ,Ｆ,Ｅ,ＤではＭＬタップ、ゾーンＣではＬタップとなっており、△ｔがゾーンＢ,Ａではサーモオフ状態になる。
【００４６】
この図５に示す下降時および上昇時のゾーン毎のタップに示す吹出風量のパターンが、冷房運転時の第１風量自動モードにおける第１風量パターンである。また、図４に示す下降時および上昇時のゾーン毎のタップに示す吹出風量のパターンが、おやすみ冷房運転時の第２風量自動モードにおける第２風量パターンである。
【００４７】
上記構成の空気調和機によれば、冷房運転時の第１風量自動モードにおいて、制御装置１００の風量パターン切換部１００ｂによって、室内ファン制御部１００ａの図５に示す第１風量パターンに切り換えて、室内ファン制御部１００ａは、室内温度と目標温度に基づいて室内ファン２０の風量を第１風量パターンで制御する。一方、おやすみ冷房運転時の第２風量自動モードにおいて、風量パターン切換部１００ｂによって、室内ファン制御部１００ａの図４に示す第２風量パターンに切り換えて、室内ファン制御部１００ａは、室内温度と目標温度に基づいて室内ファン２０の風量を第２風量パターンで制御する。
【００４８】
このように、通常時の冷房運転では第１風量自動モードとし、就寝時のおやすみ冷房運転では第１風量パターンよりも低風量の第２風量パターンの第２風量自動モードとすることで、おやすみ運転時の風量自動におけるファン送風音を低減することができる。
【００４９】
ここで、第１風量パターンよりも低風量の第２風量パターンは、複数のゾーンＡ〜Ｊにおけるタップのうちの少なくとも一部が第１風量パターンよりも低風量の第２風量パターンであればよい。
【００５０】
なお、第２風量自動モードは、就寝時のおやすみ冷房運転に限らず、ユーザーが同様の空気調和を希望する状況で行うようにしてもよく、例えば後述するおやすみ暖房運転や、除湿冷房運転,加湿暖房運転などにおいて第２風量自動モードとしてもよい。
【００５１】
また、上記第１風量パターンおよび第２風量パターンは、階段状に設定された複数のタップを用いたが、所定の条件に基づいて連続的に風量が変化する風量パターンでもよい。
【００５２】
また、冷房運転時に室内温度と目標温度に基づいて風量を制御する第１,第２風量自動モードで室内温度が低下するとサーモオフ状態(圧縮機１１を停止)になる空気調和機の構成では、おやすみ冷房運転時の第２風量自動モードにおける第２風量パターンの最小風量(Ｓタップ)を第１風量パターンの最小風量(Ｌタップ)よりも小さくすることによって、第２風量自動モードでサーモオフ状態になりにくくして、第１風量パターンの最小風量(Ｌタップ)よりも小さい最小風量(Ｓタップ)でのサーモオン状態をより長く持続させることが可能になり、快適性が向上する。
【００５３】
上記おやすみ冷房運転の第２風量自動モードでサーモオフしにくくすることで、最小風量(Ｓタップ)で室内ファン２０の送風を維持している期間は、室内温度の変化を少なくできると共に室内ファン２０の送風音を一定にできる。
【００５４】
また、上記おやすみ冷房運転時の第２風量自動モードにおける第２風量パターンの最大風量(Ｍタップ)を第１風量パターンの最大風量(ＭＨタップ)よりも小さくすることによって、第２風量自動モードにおいて最大風量が必要なときも室内ファン２０の送風音を低減できる。
【００５５】
また、通常の冷房運転の第１風量自動モードにおいて最大風量(ＭＨタップ)で送風している状態からおやすみ冷房運転の第２風量自動モードに切り換えたとき、第２風量自動モードの最大風量(Ｍタップ)で送風しても室内ファン２０の送風音が下がって、第２風量自動モードになったことが分かるので、おやすみ冷房運転に切り換わったことが送風音でも分かり、ユーザーに違和感を与えないようにできる。
【００５６】
上記おやすみ冷房運転時は、室内機２からの吹出空気の風向を上下方向に制御する水平フラップ３１,３２(図９に示す)の角度を冷房運転における上下スイング範囲の上限角度にして、冷気を上向きに吹き出す。これにより、就寝時に冷気が寝ている人に直接当たらないようにする。ここで、室内機２の吹出口２ａ(図９に示す)から上向きに吹き出すとは、吹出方向が水平面よりも上側に吹き出す成分を含む吹出空気を吹き出すことを言う。
【００５７】
なお、おやすみ冷房運転時において、リモートコントローラの操作により水平フラップ３１,３２の角度をユーザーが所望の角度に変更することも可能である。
【００５８】
＜暖房運転およびおやすみ暖房運転時の風量自動モード＞
図６は上記空気調和機の暖房運転時およびおやすみ暖房運転時の風量自動モードのゾーン制御を説明するための図である。図６において、暖房運転およびおやすみ暖房運転の室内熱交換器温度ｔＥの下降時と上昇時において、それぞれ室内熱交換器温度毎に以下のとおりゾーンＩ〜VIIが設定されている。
（室内熱交換器温度ｔＥの上昇時）
３０℃  ＞  ｔＥ              ：  Ｉ
３５℃  ＞  ｔＥ  ≧  ３０℃  ：  II
４０℃  ＞  ｔＥ  ≧  ３５℃  ：  III
４５℃  ＞  ｔＥ  ≧  ４０℃  ：  IV
５０℃  ＞  ｔＥ  ≧  ４５℃  ：  Ｖ
５５℃  ＞  ｔＥ  ≧  ５０℃  ：  VI
ｔＥ  ≧  ５５℃  ：  VII
（室内熱交換器温度ｔＥの下降時）
２５℃  ＞  ｔＥ              ：  Ｉ
３０℃  ＞  ｔＥ  ≧  ２５℃  ：  II
３５℃  ＞  ｔＥ  ≧  ３０℃  ：  III
４０℃  ＞  ｔＥ  ≧  ３５℃  ：  IV
４５℃  ＞  ｔＥ  ≧  ４０℃  ：  Ｖ
５０℃  ＞  ｔＥ  ≧  ４５℃  ：  VI
ｔＥ  ≧  ５０℃  ：  VII
【００５９】
なお、暖房運転およびおやすみ暖房運転の△ｔ(＝室内温度−目標温度)に応じたゾーンＡ〜Ｌが以下のとおり設定されている。
（△ｔの上昇時）
△ｔ  ≧  ２．０℃  ：  Ａ
２．０℃  ＞  △ｔ  ≧  １．５℃  ：  Ｂ
１．５℃  ＞  △ｔ  ≧  １．０℃  ：  Ｃ
１．０℃  ＞  △ｔ  ≧  ０．５℃  ：  Ｄ
０．５℃  ＞  △ｔ  ≧      ０℃  ：  Ｅ
０℃  ＞  △ｔ  ≧−０．５℃  ：  Ｆ
−０．５℃  ＞  △ｔ  ≧−１．０℃  ：  Ｇ
−１．０℃  ＞  △ｔ  ≧−１．５℃  ：  Ｈ
−１．５℃  ＞  △ｔ  ≧−２．０℃  ：  Ｉ
−２．０℃  ＞  △ｔ  ≧−２．５℃  ：  Ｊ
−２．５℃  ＞  △ｔ  ≧−３．０℃  ：  Ｋ
−３．０℃  ＞  △ｔ                ：  Ｌ
（△ｔの下降時）
△ｔ  ≧  ２．０℃  ：  Ａ
２．０℃  ＞  △ｔ  ≧  １．０℃  ：  Ｂ
１．０℃  ＞  △ｔ  ≧  ０．５℃  ：  Ｃ
０．５℃  ＞  △ｔ  ≧      ０℃  ：  Ｄ
０℃  ＞  △ｔ  ≧−０．５℃  ：  Ｅ
−０．５℃  ＞  △ｔ  ≧−１．０℃  ：  Ｆ
−１．０℃  ＞  △ｔ  ≧−１．５℃  ：  Ｇ
−１．５℃  ＞  △ｔ  ≧−２．０℃  ：  Ｈ
−２．０℃  ＞  △ｔ  ≧−２．５℃  ：  Ｉ
−２．５℃  ＞  △ｔ  ≧−３．０℃  ：  Ｊ
−３．０℃  ＞  △ｔ  ≧−３．５℃  ：  Ｋ
−３．５℃  ＞  △ｔ                ：  Ｌ
【００６０】
図７は上記空気調和機のおやすみ暖房運転時のゾーンＡ〜Ｌ毎の風量タップを示しており、図８は上記空気調和機の通常の暖房運転時のゾーンＡ〜Ｌ毎の風量タップを示している。ここで、上記空気調和機では、図３に示す冷房運転およびおやすみ冷房運転時の風量自動モードのゾーン制御におけるゾーンＡ〜Ｌ毎かつ室内熱交換器温度のゾーンＩ〜VII毎に、ＭＨタップ,Ｍタップ,ＭＬタップ,Ｌタップ,Ｓタップのいずれかのタップが設けられている。
【００６１】
図７に示すように、例えば、室内熱交換器温度ゾーンIVにおいて、おやすみ暖房運転の△ｔの上昇時は、Ｍタップ,ＭＬタップ,Ｌタップ,Ｓタップの順に吹出風量が少なくなる一方、おやすみ暖房運転時の△ｔの下降時は、Ｓタップ,Ｌタップ,ＭＬタップ,Ｍタップの順に吹出風量が多くなる。
【００６２】
このおやすみ暖房運転の△ｔの上昇時および下降時、△ｔ(＝室内温度−目標温度)がゾーンＬ,Ｋ,Ｊ,Ｉ,Ｈ,ＧではＭタップ、ゾーンＦ,ＥではＭＬタップ、ゾーンＤではＬタップ、ゾーンＣ,Ｂ,ＡではＳタップとなっており、△ｔがゾーンＡよりも高いときはサーモオフ状態になる。
【００６３】
また、図８に示すように、例えば、室内熱交換器温度ゾーンIVにおいて、暖房運転の△ｔの上昇時は、Ｍタップ,ＭＬタップ,Ｌタップ,Ｓタップの順に吹出風量が少なくなる一方、暖房運転時の△ｔの下降時は、Ｓタップ,Ｌタップ,ＭＬタップ,Ｍタップの順に吹出風量が多くなる。
【００６４】
この暖房運転の△ｔの上昇時および下降時、△ｔ(＝室内温度−目標温度)がゾーンＬ,Ｋ,Ｊ,ＩではＭＨタップ、ゾーンＨ,ＧではＭタップ、ゾーンＦＥではＭＬタップ、ゾーンＤ,Ｃ,Ｂ,ＡではＬタップとなっており、△ｔがゾーンＡよりも高いときはサーモオフ状態になる。
【００６５】
なお、おやすみ暖房運転および暖房運転において、室内熱交換器温度のゾーンIVに対してゾーンＶ,VI,VIIと高くなるほど、△ｔのゾーンＡ〜Ｌにおけるタップのうちの少なくとも一部が高くなる一方、室内熱交換器温度のゾーンIVに対してゾーンIII,II,Ｉと低くなるほど、△ｔのゾーンＡ〜Ｌにおけるタップのうちの少なくとも一部が低くなっている。
【００６６】
この図８に示す吹出風量のパターンが、暖房運転時の第１風量自動モードにおける第１風量パターンである。また、図７に示す吹出風量のパターンが、おやすみ暖房運転時の第２風量自動モードにおける第２風量パターンである。
【００６７】
上記空気調和機では、暖房運転時の第１風量自動モードにおいて、制御装置１００の風量パターン切換部１００ｂによって、室内ファン制御部１００ａの図８に示す第１風量パターンに切り換えて、室内ファン制御部１００ａは、室内温度と目標温度に基づいて室内ファン２０の風量を第１風量パターンで制御する。一方、おやすみ暖房運転時の第２風量自動モードにおいて、風量パターン切換部１００ｂによって、室内ファン制御部１００ａの図７に示す第２風量パターンに切り換えて、室内ファン制御部１００ａは、室内温度と目標温度に基づいて室内ファン２０の風量を第２風量パターンで制御する。
【００６８】
このように、通常時の暖房運転では第１風量自動モードとし、就寝時のおやすみ暖房運転では第１風量パターンよりも低風量の第２風量パターンの第２風量自動モードとすることで、おやすみ運転時の風量自動におけるファン送風音を低減することができる。
【００６９】
ここで、第１風量パターンよりも低風量の第２風量パターンとは、複数のゾーンＡ〜Ｌにおけるタップのうちの少なくとも一部が第１風量パターンよりも低風量の第２風量パターンであればよい。
【００７０】
また、上記第１風量パターンおよび第２風量パターンは、階段状に設定された複数のタップを用いたが、所定の条件に基づいて連続的に風量が変化する風量パターンでもよい。
【００７１】
また、暖房運転時に室内温度と目標温度に基づいて風量を制御する第１,第２風量自動モードで室内温度が高くなるとサーモオフ状態(圧縮機１１を停止)になる空気調和機の構成では、室内熱交換器温度のゾーンIV,III,IIにおいて、おやすみ暖房運転時の第２風量自動モードにおける第２風量パターンの最小風量(Ｓタップ)を第１風量パターンの最小風量(Ｌタップ)よりも小さくすることによって、第２風量自動モードでサーモオフ状態になりにくくして、第１風量パターンの最小風量(Ｌタップ)よりも小さい最小風量(Ｓタップ)でのサーモオン状態をより長く持続させることが可能になり、快適性が向上する。
【００７２】
上記おやすみ暖房運転の第２風量自動モードでサーモオフしにくくすることで、最小風量(Ｓタップ)で室内ファン２０の送風を維持している期間は、室内温度の変化を少なくできると共に室内ファン２０の送風音を一定にできる。
【００７３】
また、上記室内熱交換器温度のゾーンIV,III,IIにおいて、おやすみ暖房運転時の第２風量自動モードにおける第２風量パターンの最大風量(Ｍタップ)を第１風量パターンの最大風量(ＭＨタップ)よりも小さくすることによって、第２風量自動モードにおいて最大風量が必要なときも室内ファン２０の送風音を低減できる。
【００７４】
また、通常の暖房運転の第１風量自動モードにおいて最大風量(ＭＨタップ)で送風している状態からおやすみ暖房運転の第２風量自動モードに切り換えたとき、第２風量自動モードの最大風量(Ｍタップ)で送風しても室内ファン２０の送風音が下がって、第２風量自動モードになったことが分かるので、おやすみ暖房運転に切り換わったことが送風音でも分かり、ユーザーに違和感を与えないようにできる。
【００７５】
また、上記室内ファン制御部１００ａが第２風量パターンで室内ファン２０の風量を制御しているとき、表示制御部１００ｃにより表示部３０の輝度を第１風量パターンで室内ファン２０の風量を制御しているときの輝度よりも下げることによって、おやすみ冷房運転やおやすみ暖房運転の第２風量自動モードで行われているときに、表示部３０の明かりがユーザーの眠りを妨げないようにできる。
【００７６】
図９は上記室内機２を室内の壁に設置した状態を示している。図９において、３１は室内機２の吹出口２ａに設けられた水平フラップ、３２は室内機２の吹出口２ａの水平フラップ３１の上側に設けられた水平フラップである。
【００７７】
上記風向制御部１００ｄ(図２に示す)により水平フラップ３１,３２(図９に示す)を制御して、室内機２からの吹出空気の風向を上下方向に制御する。おやすみ暖房運転時は、風向制御部１００ｄにより水平フラップ３１,３２の角度を暖房運転における上下スイング範囲の上限角度にして、暖気を上向きに吹き出す。これにより、就寝中の人に暖気が直接当たらないようにする。
【００７８】
なお、おやすみ暖房運転時において、リモートコントローラの操作により水平フラップ３１,３２の角度をユーザーが所望の角度に変更することも可能である。
【００７９】
上記空気調和機によれば、おやすみ暖房運転時に風向制御部１００ｄにより吹出空気の風向を上向きにしたとき、室内ファン２０により室内熱交換器１５を介して吹き出す空気の温度が基準温度を超えないように、暖気循環促進部(１００ａ,１００ｅ,１００ｆ)により、圧縮機１１の運転周波数を制御する。これにより、就寝時の吹出風量を抑えて上向きに温風を吹き出すおやすみ暖房運転において、室内に吹き出す空気の温度を基準温度以下に下げることによって、吹き出した温風が拡散しやすくなって室内における暖気の循環を促進する。これによって、おやすみ暖房運転時に室内の天井側に暖気が滞留するのを防ぐことができ、快適性を向上できる。
【００８０】
なお、このような暖気循環促進部(１００ａ,１００ｅ,１００ｆ)による暖気循環を促進する制御は、おやすみ暖房運転時に限らず、通常の暖房運転時に吹出空気の風向が上向きで吹出風量が最小のときに行うようにしてもよい。また、上記暖気循環促進部(１００ａ,１００ｅ,１００ｆ)による暖気循環を促進する制御は、吹出風量が最小のときに限らず、吹き出した温風が天井側に滞留しやすい風量のときに行ってもよい。
【００８１】
また、室内熱交換器１５の温度が基準温度を超えないように、暖気循環促進部(１００ａ,１００ｅ,１００ｆ)により、圧縮機１１の運転周波数を制御してもよい。
【００８２】
また、上記実施の形態では、室内ファン２０から吹出空気の温度が基準温度を超えないように、圧縮機１１の運転周波数を制御したが、吹出空気の温度または室内熱交換器１５の温度が基準温度を超えないように、室内ファン２０の回転数または室外ファン１０の回転数の一方を制御してもよいし、圧縮機１１の運転周波数と室内ファン２０の回転数と室外ファン１０の回転数のうちの２つを制御してもよく、圧縮機１１の運転周波数と室内ファン２０の回転数と室外ファン１０の回転数の３つを制御してもよい。
【００８３】
また、おやすみ暖房運転時に風向制御部１００ｄにより吹出空気の風向を上向きにしたとき、室内ファン２０により室内熱交換器１５を介して吹き出す空気の温度(または室内熱交換器１５の温度)が基準温度を超えないように、暖気循環促進部(１００ａ,１００ｅ,１００ｆ)の圧縮機制御部１００ｅにより圧縮機１１の運転周波数を制御するので、室内ファン２０の回転数を上げることで送風音が大きくなったり、室外ファン１０の回転数を下げることで室外熱交換器１３が着霜したりすることがなく、室内の天井側に暖気が滞留するのを防ぐことができる。
【００８４】
また、おやすみ暖房運転時に風向制御部１００ｄにより吹出空気の風向を上向きにしたとき、ピークカット制御部１００ｆにおいて、ピークカット制御用基準温度に代えて、ピークカット制御用基準温度(この実施の形態では５６℃)よりも低い基準温度を用いることにより、ピークカット制御部１００ｆによる圧縮機１１の運転周波数を制限することで、室内に吹き出す空気の温度を基準温度以下に下げる。このようにして、冷媒回路内の圧力が高圧異常とならないように圧縮機１１の運転周波数の上限を制限するためのピークカット制御部１００ｆを利用して、室内の天井側への暖気の滞留を防ぐことができる。
【００８５】
また、おやすみ暖房運転時に風向制御部１００ｄにより吹出空気の風向を上向きにしたとき、暖気循環促進部(１００ａ,１００ｅ,１００ｆ)の室内ファン制御部１００ａによって、室内ファン２０の吹出風量が最小になるように室内ファン２０の回転数を制御するので、ファン送風音を低減できる。
【００８６】
また、おやすみ暖房運転時に風向制御部１００ｄにより吹出空気の風向を上向きにしたとき、室内温度や目標温度などに基づいて室内ファン制御部１００ａが吹出風量を制御する風量自動モードにおいて室内ファン２０の吹出風量が最小になった場合、室内熱交換器１５を介して吹き出す空気の温度または室内熱交換器１５の温度が基準温度を越えないように、圧縮機１１の運転回転数または室外ファン１０の回転数の少なくとも１つを制御するので、風量自動モードにおいても吹出風量が最小になったとき、室内の天井側への暖気の滞留を防ぐことができる。
【００８７】
上記実施の形態では、冷房運転、除湿運転および暖房運転を行う空気調和機について説明したが、この発明は、少なくとも暖房運転を行う空気調和機に適用することができる。また、加湿機能を備えた空気調和機にこの発明を適用してもよい。
【００８８】
この発明の具体的な実施の形態について説明したが、この発明は上記実施の形態に限定されるものではなく、この発明の範囲内で種々変更して実施することができる。
【符号の説明】
【００８９】
１…室外機
２…室内機
１０…室外ファン
１１…圧縮機
１２…四路切換弁
１３…室外熱交換器
１４…電動膨張弁
１５…室内熱交換器
１５ａ…補助熱交換器
１５ｂ…主熱交換器
１６…アキュムレータ
２０…室内ファン
２１…閉鎖弁
２２…閉鎖弁
Ｌ１,Ｌ２…連絡配管
Ｔ１…室外熱交換器温度センサ
Ｔ２…外気温度センサ
Ｔ３…蒸発温度センサ
Ｔ４…室内熱交換器温度センサ
Ｔ５…室内温度センサ
１００…制御装置
１００ａ…室内ファン制御部
１００ｂ…風量パターン切換部
１００ｃ…表示制御部
１００ｄ…風向制御部
１００ｅ…圧縮機制御部
１００ｆ…ピークカット制御部
【図１】
2016090113.tif 000003
【図２】
2016090113.tif 000004
【図３】
2016090113.tif 000005
【図４】
2016090113.tif 000006
【図５】
2016090113.tif 000007
【図６】
2016090113.tif 000008
【図７】
2016090113.tif 000009
【図８】
2016090113.tif 000010
【図９】
2016090113.tif 000011
【手続補正書】
【提出日】平成27年8月7日(2015.8.7)
【手続補正１】
【補正対象書類名】特許請求の範囲
【補正対象項目名】全文
【補正方法】変更
【補正の内容】
【特許請求の範囲】
【請求項１】
圧縮機(１１)と室外熱交換器(１３)と減圧機構(１４)と室内熱交換器(１５)が環状に接続された冷媒回路と、
上記室外熱交換器(１３)に外気を供給する室外ファン(１０)と、
上記室内熱交換器(１５)を介して室内空気を循環させる室内ファン(２０)と、
暖房運転時に上記室内ファン(２０)からの吹出空気の風向を制御する風向制御部(１００ｄ)と、
暖房運転時に上記風向制御部(１００ｄ)により吹出空気の風向を上向きにしたとき、上記室内ファン(２０)により上記室内熱交換器(１５)を介して吹き出す空気の温度または上記室内熱交換器(１５)の温度が基準温度を超えないように、上記圧縮機(１１)の運転周波数、上記室内ファン(２０)の回転数または上記室外ファン(１０)の回転数の少なくとも１つを制御する暖気滞留防止部(１００ａ,１００ｅ,１００ｆ)と
を備えたことを特徴とする空気調和機。
【請求項２】
請求項１に記載の空気調和機において、
上記暖気滞留防止部(１００ａ,１００ｅ,１００ｆ)は、暖房運転時に上記風向制御部(１００ｄ)により吹出空気の風向を上向きにしたとき、上記室内ファン(２０)により上記室内熱交換器(１５)を介して吹き出す空気の温度または上記室内熱交換器(１５)の温度が上記基準温度を超えないように、上記圧縮機(１１)の運転周波数を制御する圧縮機制御部(１００ｅ)を有することを特徴とする空気調和機。
【請求項３】
請求項１または２に記載の空気調和機において、
上記暖気滞留防止部(１００ａ,１００ｅ,１００ｆ)は、上記室内熱交換器(１５)の温度がピークカット制御用基準温度を越えないように、上記圧縮機(１１)の運転周波数を制限するピークカット制御部(１００ｆ)を有し、
上記ピークカット制御部(１００ｆ)は、暖房運転時に上記風向制御部(１００ｄ)により吹出空気の風向を上向きにしたときは、上記ピークカット制御用基準温度の代わりに、上記ピークカット制御用基準温度よりも低い上記基準温度を用いることを特徴とする空気調和機。
【請求項４】
請求項１から３までのいずれか１つに記載の空気調和機において、
上記暖気滞留防止部(１００ａ,１００ｅ,１００ｆ)は、暖房運転時に上記風向制御部(１００ｄ)により吹出空気の風向を上向きにしたとき、上記室内ファン(２０)の吹出風量が最小になるように上記室内ファン(２０)の回転数を制御する室内ファン制御部(１００ａ)を有することを特徴とする空気調和機。
【請求項５】
請求項１から４までのいずれか１つに記載の空気調和機において、
上記暖気滞留防止部(１００ａ,１００ｅ,１００ｆ)は、暖房運転時に上記風向制御部(１００ｄ)により吹出空気の風向を上向きにしたとき、かつ、風量自動モードで上記室内ファン(２０)の吹出風量を最小にしたとき、上記室内ファン(２０)により上記室内熱交換器(１５)を介して吹き出す空気の温度または上記室内熱交換器(１５)の温度が上記基準温度を超えないように、上記圧縮機(１１)の運転回転数または上記室外ファン(１０)の回転数の少なくとも１つを制御することを特徴とする空気調和機。
【手続補正２】
【補正対象書類名】明細書
【補正対象項目名】全文
【補正方法】変更
【補正の内容】
【発明の詳細な説明】
【技術分野】
【０００１】
この発明は、空気調和機に関する。
【背景技術】
【０００２】
従来、空気調和機としては、おやすみタイマーによる冷房運転時に、圧縮機の運転率に応じて室内ファンの回転数を制御するものがある(例えば、特開平０７−１７４３９５号公報(特許文献１)参照)。上記空気調和機では、就寝中、圧縮機の運転率が高い場合は、室内ファンの風量を上げて寝苦しさを緩和し、圧縮機の運転率が低い場合は、室内ファンの風量を下げて送風で肌寒く感じないようにしている。
【先行技術文献】
【特許文献】
【０００３】
【特許文献１】特開平０７−１７４３９５号公報
【発明の概要】
【発明が解決しようとする課題】
【０００４】
しかしながら、上記空気調和機では、おやすみタイマーによる暖房運転時に、人に直接風が当たらないように吹出風向を上向きにするため、室内ファンの回転数を下げて吹出風量を少なくすると、吹出空気の温度が高くなって、温風が拡散せずに室内の天井付近に暖気が滞留するという問題がある。上記空気調和機では、室内の天井付近に暖気が滞留すると、壁面の高い位置に設置された室内機の温度センサにより検出される室内温度も高くなって、最適な暖房運転ができなくなるため、快適性が損なわれてしまう。
【０００５】
そこで、この発明の課題は、おやすみ暖房運転時に室内の天井側に暖気が滞留するのを防ぐことにより、快適性を向上できる空気調和機を提供することにある。
【課題を解決するための手段】
【０００６】
上記課題を解決するため、この発明の空気調和機は、
圧縮機と室外熱交換器と減圧機構と室内熱交換器が環状に接続された冷媒回路と、
上記室外熱交換器に外気を供給する室外ファンと、
上記室内熱交換器を介して室内空気を循環させる室内ファンと、
暖房運転時に上記室内ファンからの吹出空気の風向を制御する風向制御部と、
暖房運転時に上記風向制御部により吹出空気の風向を上向きにしたとき、上記室内ファンにより上記室内熱交換器を介して吹き出す空気の温度または上記室内熱交換器の温度が基準温度を超えないように、上記圧縮機の運転周波数、上記室内ファンの回転数または上記室外ファンの回転数の少なくとも１つを制御する暖気滞留防止部と
を備えたことを特徴とする。
【０００７】
上記構成によれば、暖房運転時に風向制御部により吹出空気の風向を上向きにしたとき、室内ファンにより室内熱交換器を介して吹き出す空気の温度(または室内熱交換器の温度)が基準温度を超えないように、暖気滞留防止部により、圧縮機の運転周波数、室内ファンの回転数または室外ファンの回転数の少なくとも１つを制御する。これにより、例えば就寝時の吹出風量を抑えて上向きに温風を吹き出すおやすみ暖房運転において、室内に吹き出す空気の温度を基準温度以下に下げることによって、吹き出した温風が拡散しやすくなって室内における暖気の循環を促進する。これによって、室内の天井側に暖気が滞留するのを防ぐことができ、快適性を向上できる。
【０００８】
また、一実施形態の空気調和機では、
上記暖気滞留防止部は、暖房運転時に上記風向制御部により吹出空気の風向を上向きにしたとき、上記室内ファンにより上記室内熱交換器を介して吹き出す空気の温度または上記室内熱交換器の温度が上記基準温度を超えないように、上記圧縮機の運転周波数を制御する圧縮機制御部を有する。
【０００９】
上記実施形態によれば、暖房運転時に風向制御部により吹出空気の風向を上向きにしたとき、室内ファンにより室内熱交換器を介して吹き出す空気の温度(または室内熱交換器の温度)が基準温度を超えないように、暖気滞留防止部の圧縮機制御部により圧縮機の運転周波数を制御するので、室内ファンの回転数を上げることで送風音が大きくなったり、室外ファンの回転数を下げることで室外熱交換器が着霜したりすることがなく、室内の天井側に暖気が滞留するのを防ぐことができる。
【００１０】
また、一実施形態の空気調和機では、
上記暖気滞留防止部は、上記室内熱交換器の温度がピークカット制御用基準温度を越えないように、上記圧縮機の運転周波数を制限するピークカット制御部を有し、
上記ピークカット制御部は、暖房運転時に上記風向制御部により吹出空気の風向を上向きにしたときは、上記ピークカット制御用基準温度の代わりに、上記ピークカット制御用基準温度よりも低い上記基準温度を用いる。
【００１１】
上記実施形態によれば、暖房運転時に風向制御部により吹出空気の風向を上向きにしたときは、暖気滞留防止部のピークカット制御部において、ピークカット制御用基準温度の代わりに、ピークカット制御用基準温度よりも低い基準温度を用いることにより、ピークカット制御部による圧縮機の運転周波数を制限することで、室内に吹き出す空気の温度を基準温度以下に下げる。このようにして、冷媒回路内の圧力が高圧異常とならないように圧縮機の運転周波数の上限を制限するためのピークカット制御部を利用して、室内の天井側への暖気の滞留を防ぐことができる。
【００１２】
また、一実施形態の空気調和機では、
上記暖気滞留防止部は、暖房運転時に上記風向制御部により吹出空気の風向を上向きにしたとき、上記室内ファンの吹出風量が最小になるように上記室内ファンの回転数を制御する室内ファン制御部を有する。
【００１３】
上記実施形態によれば、暖房運転時に風向制御部により吹出空気の風向を上向きにしたとき、暖気滞留防止部の室内ファン制御部によって、室内ファンの吹出風量が最小になるように室内ファンの回転数を制御するので、ファン送風音を低減できる。
【００１４】
また、一実施形態の空気調和機では、
上記暖気滞留防止部は、暖房運転時に上記風向制御部により吹出空気の風向を上向きにしたとき、かつ、風量自動モードで上記室内ファンの吹出風量を最小にしたとき、上記室内ファンにより上記室内熱交換器を介して吹き出す空気の温度または上記室内熱交換器の温度が上記基準温度を超えないように、上記圧縮機の運転回転数または上記室外ファンの回転数の少なくとも１つを制御する。
【００１５】
上記実施形態によれば、暖房運転時に風向制御部により吹出空気の風向を上向きにしたとき、室内温度や目標温度などに基づいて室内ファン制御部が吹出風量を制御する風量自動モードにおいて室内ファンの吹出風量が最小になった場合、室内熱交換器を介して吹き出す空気の温度(または室内熱交換器の温度)が基準温度を超えないように、圧縮機の運転回転数または室外ファンの回転数の少なくとも１つを制御するので、風量自動モードにおいても吹出風量が最小になったとき、室内の天井側への暖気の滞留を防ぐことができる。
【発明の効果】
【００１６】
以上より明らかなように、この発明によれば、おやすみ暖房運転時に室内の天井側に暖気が滞留するのを防ぐことにより、快適性を向上できる空気調和機を実現することができる。
【図面の簡単な説明】
【００１７】
【図１】図１はこの発明の実施の一形態の空気調和機の室内機と室外機の冷媒回路の回路図である。
【図２】図２は上記空気調和機の制御ブロック図である。
【図３】図３は上記空気調和機の冷房運転およびおやすみ冷房運転時の風量自動モードのゾーン制御を説明するための図である。
【図４】図４は上記空気調和機のおやすみ冷房運転時のゾーン毎の風量タップを示す表である。
【図５】図５は上記空気調和機の通常の冷房運転時のゾーン毎の風量タップを示す表である。
【図６】図６は上記空気調和機の暖房運転時およびおやすみ暖房運転時の風量自動モードのゾーン制御を説明するための図である。
【図７】図７は上記空気調和機のおやすみ暖房運転時のゾーン毎の風量タップを示す表である。
【図８】図８は上記空気調和機の通常の暖房運転時のゾーン毎の風量タップを示す表である。
【図９】図９は上記空気調和機の室内機を室内の壁に設置した状態を示す模式図である。
【発明を実施するための形態】
【００１８】
以下、この発明の空気調和機を図示の実施の形態により詳細に説明する。
【００１９】
図１はこの発明の実施の一形態の空気調和機の室内機２およびその室内機２に連絡配管Ｌ１,Ｌ２を介して接続された室外機１の冷媒回路を示している。この実施の形態の空気調和機は、室内機２と室外機１が一対一のペア型の空気調和機である。
【００２０】
この実施の形態の空気調和機は、図１に示すように、圧縮機１１と、圧縮機１１の吐出側が一端に接続された四路切換弁１２と、四路切換弁１２の他端に一端が接続された室外熱交換器１３と、室外熱交換器１３の他端に一端が接続された減圧機構の一例としての電動膨張弁１４と、電動膨張弁１４の他端に閉鎖弁２１,連絡配管Ｌ１を介して一端が接続された室内熱交換器１５と、室内熱交換器１５の他端に連絡配管Ｌ２,閉鎖弁２２,四路切換弁１２を介して一端が接続され、他端が圧縮機１１の吸入側に接続されたアキュムレータ１６とを備えている。また、上記空気調和機は、室外熱交換器１３に外気を供給する室外ファン１０と、室内熱交換器１５を介して室内空気を循環させる室内ファン２０を備えている。
【００２１】
上記室内熱交換器１５は、連絡配管Ｌ１が一端に接続された補助熱交換器１５ａと、補助熱交換器１５ａの他端が一端に接続され、連絡配管Ｌ２が他端に接続された主熱交換器１５ｂを有する。
【００２２】
上記圧縮機１１,四路切換弁１２,室外熱交換器１３,電動膨張弁１４,室内熱交換器１５およびアキュムレータ１６を環状に接続することで冷媒回路を構成している。
【００２３】
また、上記圧縮機１１,四路切換弁１２,室外熱交換器１３,電動膨張弁１４,アキュムレータ１６,室外ファン１０で室外機１を構成すると共に、室内熱交換器１５,室内ファン２０で室内機２を構成している。
【００２４】
上記室外機１は、室外熱交換器１３の温度を検出する室外熱交換器温度センサＴ１と、外気温度を検出する外気温度センサＴ２と、電動膨張弁１４の蒸発温度を検出する蒸発温度センサＴ３を備えている。
【００２５】
また、上記室内機２は、室内熱交換器１５の温度を検出する室内熱交換器温度センサＴ４と、室内温度を検出する室内温度センサＴ５を備えている。
【００２６】
また、上記空気調和機は、室外熱交換器温度センサＴ１,外気温度センサＴ２,蒸発温度センサＴ３,室内熱交換器温度センサＴ４,室内温度を検出する室内温度センサＴ５からの信号などに基づいて、圧縮機１１,室外ファン１０,室内ファン２０等を制御する制御装置１００を備えている。
【００２７】
図２は上記空気調和機の制御ブロック図を示している。
【００２８】
図２に示すように、制御装置１００は、室外熱交換器温度センサＴ１,外気温度センサＴ２,蒸発温度センサＴ３,室内熱交換器温度センサＴ４,室内温度を検出する室内温度センサＴ５からの信号が入力される。また、制御装置１００に、圧縮機１１と四路切換弁１２と電動膨張弁１４と室外ファン１０と室内ファン２０と表示部３０などを接続している。表示部３０は、室内機２に設けられ、少なくとも運転状態を表示するＬＥＤなどである。
【００２９】
また、制御装置１００は、マイクロコンピュータと入出力回路などからなり、室内ファン２０の風量を制御する室内ファン制御部１００ａと、室内ファン制御部１００ａの第１風量パターンと第２風量パターンを切り換える風量パターン切換部１００ｂと、表示部３０を制御する表示制御部１００ｃと、室内ファン２０からの吹出空気の風向を制御する風向制御部１００ｄと、圧縮機１１の運転周波数を制御する圧縮機制御部１００ｅと、圧縮機１１の運転周波数を制限するピークカット制御部１００ｆを有する。この制御装置１００は、室外機１側の室外制御部(図示せず)と室内機２側の室内制御部(図示せず)で構成されている。
【００３０】
また、上記室内ファン制御部１００ａと圧縮機制御部１００ｅとピークカット制御部１００ｆで暖気滞留防止部を構成している。
【００３１】
上記制御装置１００は、室外熱交換器温度センサＴ１,外気温度センサＴ２,蒸発温度センサＴ３,室内熱交換器温度センサＴ４,室内温度センサＴ５からの信号などに基づいて、圧縮機１１,四路切換弁１２,電動膨張弁１４,室外ファン１０,室内ファン２０などを制御する。
【００３２】
＜冷房運転＞
上記構成の空気調和機において、冷房運転時は、四路切換弁１２を実線の切換え位置に切り換えて、圧縮機１１を起動すると、圧縮機１１から吐出された高温高圧の冷媒が四路切換弁１２を介して室外熱交換器１３に流入する。そして、室外熱交換器１３で凝縮した冷媒は、電動膨張弁１４で減圧された後に室内熱交換器１５(補助熱交換器１５ａおよび主熱交換器１５ｂ)に入る。上記室内熱交換器１５で蒸発した冷媒が四路切換弁１２およびアキュムレータ１６を介して圧縮機１１の吸入側に戻る(冷房サイクル)。こうして、圧縮機１１,室外熱交換器１３,電動膨張弁１４,室内熱交換器１５およびアキュムレータ１６の順に冷媒が循環し、室内ファン２０により蒸発器として機能する室内熱交換器１５を介して室内空気を循環させて室内を冷房する。
【００３３】
＜除湿運転＞
除湿運転時は、冷房運転時と同様に、四路切換弁１２を実線の切換え位置にして、圧縮機１１,室外熱交換器１３,電動膨張弁１４,室内熱交換器１５およびアキュムレータ１６の順に冷媒が循環させる(除湿サイクル)。ここで、室内熱交換器１５は、補助熱交換器１５ａの一部だけが蒸発域となって残りの領域が過熱域となると共に、主熱交換器１５ｂが過熱域となる。
【００３４】
この除湿運転では、室外機１の蒸発温度センサＴ３(図１に示す)により検出された蒸発温度(電動膨張弁１４の下流側)と、室内機２の室内温度センサＴ５により検出された室内温度(室内機２の吸込空気の温度)に基づいて、補助熱交換器１５ａの液冷媒が蒸発する蒸発域の範囲が負荷に応じて変化するように、制御装置１００によって圧縮機１１の運転周波数と電動膨張弁１４の開度を制御する。
【００３５】
＜暖房運転＞
また、暖房運転時、四路切換弁１２を点線の切換え位置に切り換えて、圧縮機１１を起動すると、圧縮機１１から吐出された高温高圧の冷媒が四路切換弁１２を介して室内熱交換器１５(補助熱交換器１５ａおよび主熱交換器１５ｂ)に流入する。そして、上記室内熱交換器１５で凝縮した冷媒は、電動膨張弁１４で減圧された後に室外熱交換器１３に入る。上記室外熱交換器１３で蒸発した冷媒が四路切換弁１２およびアキュムレータ１６を介して圧縮機１１の吸入側に戻る(暖房サイクル)。こうして、上記圧縮機１１,室内熱交換器１５,電動膨張弁１４,室外熱交換器１３およびアキュムレータ１６で構成された冷媒回路を冷媒が循環し、凝縮器として機能する室内熱交換器１５を介して室内ファン２０により室内空気を循環させて室内を暖房する。
【００３６】
上記空気調和機は、リモートコントローラ(図示せず)によって、冷房運転、除湿運転および暖房運転などのいずれかの運転モードを選択して運転開始操作を行ったり、運転切換操作や運転停止操作を行ったりすることができる。また、リモートコントローラでは、室内温度の設定温度を設定したり、室内ファン２０の回転数を変化させて室内機２の吹出風量を変更したりできる。
【００３７】
＜冷房運転およびおやすみ冷房運転時の風量自動モード＞
図３は上記空気調和機の冷房運転およびおやすみ冷房運転時の風量自動モードのゾーン制御を説明するための図である。
【００３８】
図３において、冷房運転およびおやすみ冷房運転の△ｔ(＝室内温度−目標温度)の下降時と上昇時において、△ｔに応じたゾーンＡ〜Ｊが以下のとおり設定されている。
（△ｔの下降時）
△ｔ  ≧  ２．５℃  ：  Ｊ
２．５℃  ＞  △ｔ  ≧  ２．０℃  ：  Ｉ
２．０℃  ＞  △ｔ  ≧  １．５℃  ：  Ｈ
１．５℃  ＞  △ｔ  ≧  １．０℃  ：  Ｇ
１．０℃  ＞  △ｔ  ≧  ０．５℃  ：  Ｆ
０．５℃  ＞  △ｔ  ≧      ０℃  ：  Ｅ
０℃  ＞  △ｔ  ≧−０．５℃  ：  Ｄ
−０．５℃  ＞  △ｔ  ≧−１．０℃  ：  Ｃ
−１．０℃  ＞  △ｔ  ≧−１．５℃  ：  Ｂ
−１．５℃  ＞  △ｔ                ：  Ａ
（△ｔの上昇時）
△ｔ  ≧  ３．０℃  ：  Ｊ
３．０℃  ＞  △ｔ  ≧  ２．５℃  ：  Ｉ
２．５℃  ＞  △ｔ  ≧  ２．０℃  ：  Ｈ
２．０℃  ＞  △ｔ  ≧  １．５℃  ：  Ｇ
１．５℃  ＞  △ｔ  ≧  １．０℃  ：  Ｆ
１．０℃  ＞  △ｔ  ≧  ０．５℃  ：  Ｅ
０．５℃  ＞  △ｔ  ≧      ０℃  ：  Ｄ
０℃  ＞  △ｔ  ≧−０．５℃  ：  Ｃ
−０．５℃  ＞  △ｔ  ≧−１．５℃  ：  Ｂ
−１．５℃  ＞  △ｔ                ：  Ａ
【００３９】
また、図４は上記空気調和機のおやすみ冷房運転時のゾーンＡ〜Ｊ毎のタップ(室内ファン回転数)を示しており、図５は上記空気調和機の通常の冷房運転時のゾーンＡ〜Ｊ毎のタップ(室内ファン回転数)を示している。ここで、上記空気調和機には、ＭＨタップ,Ｍタップ,ＭＬタップ,Ｌタップ,Ｓタップの５つのタップが次のように風量の大きい順に設けられている。
ＭＨタップの風量 ＞ Ｍタップの風量＞ ＭＬタップの風量＞ Ｌタップの風量＞ Ｓタップの風量
【００４０】
図４に示すように、おやすみ冷房運転時の下降時は、Ｍタップ,ＭＬタップ,Ｌタップ,Ｓタップの順に吹出風量が少なくなる一方、おやすみ冷房運転時の上昇時は、Ｓタップ,Ｌタップ,ＭＬタップ,Ｍタップの順に吹出風量が多くなる。
【００４１】
このおやすみ冷房運転時の下降時の△ｔ(＝室内温度−目標温度)がゾーンＪ,Ｉ,ＨではＭタップ、ゾーンＧ,ＦではＭＬタップ、ゾーンＥ,ＤではＬタップ、ゾーンＣ,ＢではＳタップとなっており、△ｔがゾーンＡではサーモオフ状態になる。
【００４２】
また、おやすみ冷房運転時の上昇時の△ｔ(＝室内温度−目標温度)がゾーンＪ,ＩではＭタップ、ゾーンＨ,ＧではＭＬタップ、ゾーンＦ,ＥではＬタップ、ゾーンＤ,ＣではＳタップとなっており、△ｔがゾーンＢ,Ａではサーモオフ状態になる。
【００４３】
また、図５に示すように、冷房運転時の下降時は、ＭＨタップ,Ｍタップ,ＭＬタップ,Ｌタップの順に吹出風量が少なくなる一方、冷房運転時の上昇時は、Ｌタップ,ＭＬタップ,Ｍタップ,ＭＨタップの順に吹出風量が多くなる。
【００４４】
この冷房運転時の下降時の△ｔ(＝室内温度−目標温度)がゾーンＪ,ＩではＭＨタップ、ゾーンＨ,ＧではＭタップ、ゾーンＦ,Ｅ,Ｄ,ＣではＭＬタップ、ゾーンＢではＬタップとなっており、△ｔがゾーンＡではサーモオフ状態になる。
【００４５】
また、冷房運転時の上昇時の△ｔ(＝室内温度−目標温度)がゾーンＪではＭＨタップ、ゾーンＩ,ＨではＭタップ、ゾーンＧ,Ｆ,Ｅ,ＤではＭＬタップ、ゾーンＣではＬタップとなっており、△ｔがゾーンＢ,Ａではサーモオフ状態になる。
【００４６】
この図５に示す下降時および上昇時のゾーン毎のタップに示す吹出風量のパターンが、冷房運転時の第１風量自動モードにおける第１風量パターンである。また、図４に示す下降時および上昇時のゾーン毎のタップに示す吹出風量のパターンが、おやすみ冷房運転時の第２風量自動モードにおける第２風量パターンである。
【００４７】
上記構成の空気調和機によれば、冷房運転時の第１風量自動モードにおいて、制御装置１００の風量パターン切換部１００ｂによって、室内ファン制御部１００ａの図５に示す第１風量パターンに切り換えて、室内ファン制御部１００ａは、室内温度と目標温度に基づいて室内ファン２０の風量を第１風量パターンで制御する。一方、おやすみ冷房運転時の第２風量自動モードにおいて、風量パターン切換部１００ｂによって、室内ファン制御部１００ａの図４に示す第２風量パターンに切り換えて、室内ファン制御部１００ａは、室内温度と目標温度に基づいて室内ファン２０の風量を第２風量パターンで制御する。
【００４８】
このように、通常時の冷房運転では第１風量自動モードとし、就寝時のおやすみ冷房運転では第１風量パターンよりも低風量の第２風量パターンの第２風量自動モードとすることで、おやすみ運転時の風量自動におけるファン送風音を低減することができる。
【００４９】
ここで、第１風量パターンよりも低風量の第２風量パターンは、複数のゾーンＡ〜Ｊにおけるタップのうちの少なくとも一部が第１風量パターンよりも低風量の第２風量パターンであればよい。
【００５０】
なお、第２風量自動モードは、就寝時のおやすみ冷房運転に限らず、ユーザーが同様の空気調和を希望する状況で行うようにしてもよく、例えば後述するおやすみ暖房運転や、除湿冷房運転,加湿暖房運転などにおいて第２風量自動モードとしてもよい。
【００５１】
また、上記第１風量パターンおよび第２風量パターンは、階段状に設定された複数のタップを用いたが、所定の条件に基づいて連続的に風量が変化する風量パターンでもよい。
【００５２】
また、冷房運転時に室内温度と目標温度に基づいて風量を制御する第１,第２風量自動モードで室内温度が低下するとサーモオフ状態(圧縮機１１を停止)になる空気調和機の構成では、おやすみ冷房運転時の第２風量自動モードにおける第２風量パターンの最小風量(Ｓタップ)を第１風量パターンの最小風量(Ｌタップ)よりも小さくすることによって、第２風量自動モードでサーモオフ状態になりにくくして、第１風量パターンの最小風量(Ｌタップ)よりも小さい最小風量(Ｓタップ)でのサーモオン状態をより長く持続させることが可能になり、快適性が向上する。
【００５３】
上記おやすみ冷房運転の第２風量自動モードでサーモオフしにくくすることで、最小風量(Ｓタップ)で室内ファン２０の送風を維持している期間は、室内温度の変化を少なくできると共に室内ファン２０の送風音を一定にできる。
【００５４】
また、上記おやすみ冷房運転時の第２風量自動モードにおける第２風量パターンの最大風量(Ｍタップ)を第１風量パターンの最大風量(ＭＨタップ)よりも小さくすることによって、第２風量自動モードにおいて最大風量が必要なときも室内ファン２０の送風音を低減できる。
【００５５】
また、通常の冷房運転の第１風量自動モードにおいて最大風量(ＭＨタップ)で送風している状態からおやすみ冷房運転の第２風量自動モードに切り換えたとき、第２風量自動モードの最大風量(Ｍタップ)で送風しても室内ファン２０の送風音が下がって、第２風量自動モードになったことが分かるので、おやすみ冷房運転に切り換わったことが送風音でも分かり、ユーザーに違和感を与えないようにできる。
【００５６】
上記おやすみ冷房運転時は、室内機２からの吹出空気の風向を上下方向に制御する水平フラップ３１,３２(図９に示す)の角度を冷房運転における上下スイング範囲の上限角度にして、冷気を上向きに吹き出す。これにより、就寝時に冷気が寝ている人に直接当たらないようにする。ここで、室内機２の吹出口２ａ(図９に示す)から上向きに吹き出すとは、吹出方向が水平面よりも上側に吹き出す成分を含む吹出空気を吹き出すことを言う。
【００５７】
なお、おやすみ冷房運転時において、リモートコントローラの操作により水平フラップ３１,３２の角度をユーザーが所望の角度に変更することも可能である。
【００５８】
＜暖房運転およびおやすみ暖房運転時の風量自動モード＞
図６は上記空気調和機の暖房運転時およびおやすみ暖房運転時の風量自動モードのゾーン制御を説明するための図である。図６において、暖房運転およびおやすみ暖房運転の室内熱交換器温度ｔＥの下降時と上昇時において、それぞれ室内熱交換器温度毎に以下のとおりゾーンＩ〜VIIが設定されている。
（室内熱交換器温度ｔＥの上昇時）
３０℃  ＞  ｔＥ              ：  Ｉ
３５℃  ＞  ｔＥ  ≧  ３０℃  ：  II
４０℃  ＞  ｔＥ  ≧  ３５℃  ：  III
４５℃  ＞  ｔＥ  ≧  ４０℃  ：  IV
５０℃  ＞  ｔＥ  ≧  ４５℃  ：  Ｖ
５５℃  ＞  ｔＥ  ≧  ５０℃  ：  VI
ｔＥ  ≧  ５５℃  ：  VII
（室内熱交換器温度ｔＥの下降時）
２５℃  ＞  ｔＥ              ：  Ｉ
３０℃  ＞  ｔＥ  ≧  ２５℃  ：  II
３５℃  ＞  ｔＥ  ≧  ３０℃  ：  III
４０℃  ＞  ｔＥ  ≧  ３５℃  ：  IV
４５℃  ＞  ｔＥ  ≧  ４０℃  ：  Ｖ
５０℃  ＞  ｔＥ  ≧  ４５℃  ：  VI
ｔＥ  ≧  ５０℃  ：  VII
【００５９】
なお、暖房運転およびおやすみ暖房運転の△ｔ(＝室内温度−目標温度)に応じたゾーンＡ〜Ｌが以下のとおり設定されている。
（△ｔの上昇時）
△ｔ  ≧  ２．０℃  ：  Ａ
２．０℃  ＞  △ｔ  ≧  １．５℃  ：  Ｂ
１．５℃  ＞  △ｔ  ≧  １．０℃  ：  Ｃ
１．０℃  ＞  △ｔ  ≧  ０．５℃  ：  Ｄ
０．５℃  ＞  △ｔ  ≧      ０℃  ：  Ｅ
０℃  ＞  △ｔ  ≧−０．５℃  ：  Ｆ
−０．５℃  ＞  △ｔ  ≧−１．０℃  ：  Ｇ
−１．０℃  ＞  △ｔ  ≧−１．５℃  ：  Ｈ
−１．５℃  ＞  △ｔ  ≧−２．０℃  ：  Ｉ
−２．０℃  ＞  △ｔ  ≧−２．５℃  ：  Ｊ
−２．５℃  ＞  △ｔ  ≧−３．０℃  ：  Ｋ
−３．０℃  ＞  △ｔ                ：  Ｌ
（△ｔの下降時）
△ｔ  ≧  ２．０℃  ：  Ａ
２．０℃  ＞  △ｔ  ≧  １．０℃  ：  Ｂ
１．０℃  ＞  △ｔ  ≧  ０．５℃  ：  Ｃ
０．５℃  ＞  △ｔ  ≧      ０℃  ：  Ｄ
０℃  ＞  △ｔ  ≧−０．５℃  ：  Ｅ
−０．５℃  ＞  △ｔ  ≧−１．０℃  ：  Ｆ
−１．０℃  ＞  △ｔ  ≧−１．５℃  ：  Ｇ
−１．５℃  ＞  △ｔ  ≧−２．０℃  ：  Ｈ
−２．０℃  ＞  △ｔ  ≧−２．５℃  ：  Ｉ
−２．５℃  ＞  △ｔ  ≧−３．０℃  ：  Ｊ
−３．０℃  ＞  △ｔ  ≧−３．５℃  ：  Ｋ
−３．５℃  ＞  △ｔ                ：  Ｌ
【００６０】
図７は上記空気調和機のおやすみ暖房運転時のゾーンＡ〜Ｌ毎の風量タップを示しており、図８は上記空気調和機の通常の暖房運転時のゾーンＡ〜Ｌ毎の風量タップを示している。ここで、上記空気調和機では、図３に示す冷房運転およびおやすみ冷房運転時の風量自動モードのゾーン制御におけるゾーンＡ〜Ｌ毎かつ室内熱交換器温度のゾーンＩ〜VII毎に、ＭＨタップ,Ｍタップ,ＭＬタップ,Ｌタップ,Ｓタップのいずれかのタップが設けられている。
【００６１】
図７に示すように、例えば、室内熱交換器温度ゾーンIVにおいて、おやすみ暖房運転の△ｔの上昇時は、Ｍタップ,ＭＬタップ,Ｌタップ,Ｓタップの順に吹出風量が少なくなる一方、おやすみ暖房運転時の△ｔの下降時は、Ｓタップ,Ｌタップ,ＭＬタップ,Ｍタップの順に吹出風量が多くなる。
【００６２】
このおやすみ暖房運転の△ｔの上昇時および下降時、△ｔ(＝室内温度−目標温度)がゾーンＬ,Ｋ,Ｊ,Ｉ,Ｈ,ＧではＭタップ、ゾーンＦ,ＥではＭＬタップ、ゾーンＤではＬタップ、ゾーンＣ,Ｂ,ＡではＳタップとなっており、△ｔがゾーンＡよりも高いときはサーモオフ状態になる。
【００６３】
また、図８に示すように、例えば、室内熱交換器温度ゾーンIVにおいて、暖房運転の△ｔの上昇時は、Ｍタップ,ＭＬタップ,Ｌタップ,Ｓタップの順に吹出風量が少なくなる一方、暖房運転時の△ｔの下降時は、Ｓタップ,Ｌタップ,ＭＬタップ,Ｍタップの順に吹出風量が多くなる。
【００６４】
この暖房運転の△ｔの上昇時および下降時、△ｔ(＝室内温度−目標温度)がゾーンＬ,Ｋ,Ｊ,ＩではＭＨタップ、ゾーンＨ,ＧではＭタップ、ゾーンＦＥではＭＬタップ、ゾーンＤ,Ｃ,Ｂ,ＡではＬタップとなっており、△ｔがゾーンＡよりも高いときはサーモオフ状態になる。
【００６５】
なお、おやすみ暖房運転および暖房運転において、室内熱交換器温度のゾーンIVに対してゾーンＶ,VI,VIIと高くなるほど、△ｔのゾーンＡ〜Ｌにおけるタップのうちの少なくとも一部が高くなる一方、室内熱交換器温度のゾーンIVに対してゾーンIII,II,Ｉと低くなるほど、△ｔのゾーンＡ〜Ｌにおけるタップのうちの少なくとも一部が低くなっている。
【００６６】
この図８に示す吹出風量のパターンが、暖房運転時の第１風量自動モードにおける第１風量パターンである。また、図７に示す吹出風量のパターンが、おやすみ暖房運転時の第２風量自動モードにおける第２風量パターンである。
【００６７】
上記空気調和機では、暖房運転時の第１風量自動モードにおいて、制御装置１００の風量パターン切換部１００ｂによって、室内ファン制御部１００ａの図８に示す第１風量パターンに切り換えて、室内ファン制御部１００ａは、室内温度と目標温度に基づいて室内ファン２０の風量を第１風量パターンで制御する。一方、おやすみ暖房運転時の第２風量自動モードにおいて、風量パターン切換部１００ｂによって、室内ファン制御部１００ａの図７に示す第２風量パターンに切り換えて、室内ファン制御部１００ａは、室内温度と目標温度に基づいて室内ファン２０の風量を第２風量パターンで制御する。
【００６８】
このように、通常時の暖房運転では第１風量自動モードとし、就寝時のおやすみ暖房運転では第１風量パターンよりも低風量の第２風量パターンの第２風量自動モードとすることで、おやすみ運転時の風量自動におけるファン送風音を低減することができる。
【００６９】
ここで、第１風量パターンよりも低風量の第２風量パターンとは、複数のゾーンＡ〜Ｌにおけるタップのうちの少なくとも一部が第１風量パターンよりも低風量の第２風量パターンであればよい。
【００７０】
また、上記第１風量パターンおよび第２風量パターンは、階段状に設定された複数のタップを用いたが、所定の条件に基づいて連続的に風量が変化する風量パターンでもよい。
【００７１】
また、暖房運転時に室内温度と目標温度に基づいて風量を制御する第１,第２風量自動モードで室内温度が高くなるとサーモオフ状態(圧縮機１１を停止)になる空気調和機の構成では、室内熱交換器温度のゾーンIV,III,IIにおいて、おやすみ暖房運転時の第２風量自動モードにおける第２風量パターンの最小風量(Ｓタップ)を第１風量パターンの最小風量(Ｌタップ)よりも小さくすることによって、第２風量自動モードでサーモオフ状態になりにくくして、第１風量パターンの最小風量(Ｌタップ)よりも小さい最小風量(Ｓタップ)でのサーモオン状態をより長く持続させることが可能になり、快適性が向上する。
【００７２】
上記おやすみ暖房運転の第２風量自動モードでサーモオフしにくくすることで、最小風量(Ｓタップ)で室内ファン２０の送風を維持している期間は、室内温度の変化を少なくできると共に室内ファン２０の送風音を一定にできる。
【００７３】
また、上記室内熱交換器温度のゾーンIV,III,IIにおいて、おやすみ暖房運転時の第２風量自動モードにおける第２風量パターンの最大風量(Ｍタップ)を第１風量パターンの最大風量(ＭＨタップ)よりも小さくすることによって、第２風量自動モードにおいて最大風量が必要なときも室内ファン２０の送風音を低減できる。
【００７４】
また、通常の暖房運転の第１風量自動モードにおいて最大風量(ＭＨタップ)で送風している状態からおやすみ暖房運転の第２風量自動モードに切り換えたとき、第２風量自動モードの最大風量(Ｍタップ)で送風しても室内ファン２０の送風音が下がって、第２風量自動モードになったことが分かるので、おやすみ暖房運転に切り換わったことが送風音でも分かり、ユーザーに違和感を与えないようにできる。
【００７５】
また、上記室内ファン制御部１００ａが第２風量パターンで室内ファン２０の風量を制御しているとき、表示制御部１００ｃにより表示部３０の輝度を第１風量パターンで室内ファン２０の風量を制御しているときの輝度よりも下げることによって、おやすみ冷房運転やおやすみ暖房運転の第２風量自動モードで行われているときに、表示部３０の明かりがユーザーの眠りを妨げないようにできる。
【００７６】
図９は上記室内機２を室内の壁に設置した状態を示している。図９において、３１は室内機２の吹出口２ａに設けられた水平フラップ、３２は室内機２の吹出口２ａの水平フラップ３１の上側に設けられた水平フラップである。
【００７７】
上記風向制御部１００ｄ(図２に示す)により水平フラップ３１,３２(図９に示す)を制御して、室内機２からの吹出空気の風向を上下方向に制御する。おやすみ暖房運転時は、風向制御部１００ｄにより水平フラップ３１,３２の角度を暖房運転における上下スイング範囲の上限角度にして、暖気を上向きに吹き出す。これにより、就寝中の人に暖気が直接当たらないようにする。
【００７８】
なお、おやすみ暖房運転時において、リモートコントローラの操作により水平フラップ３１,３２の角度をユーザーが所望の角度に変更することも可能である。
【００７９】
上記空気調和機によれば、おやすみ暖房運転時に風向制御部１００ｄにより吹出空気の風向を上向きにしたとき、室内ファン２０により室内熱交換器１５を介して吹き出す空気の温度が基準温度を超えないように、暖気滞留防止部(１００ａ,１００ｅ,１００ｆ)により、圧縮機１１の運転周波数を制御する。これにより、就寝時の吹出風量を抑えて上向きに温風を吹き出すおやすみ暖房運転において、室内に吹き出す空気の温度を基準温度以下に下げることによって、吹き出した温風が拡散しやすくなって室内における暖気の循環を促進する。これによって、おやすみ暖房運転時に室内の天井側に暖気が滞留するのを防ぐことができ、快適性を向上できる。
【００８０】
なお、このような暖気滞留防止部(１００ａ,１００ｅ,１００ｆ)による暖気循環を促進する制御は、おやすみ暖房運転時に限らず、通常の暖房運転時に吹出空気の風向が上向きで吹出風量が最小のときに行うようにしてもよい。また、上記暖気滞留防止部(１００ａ,１００ｅ,１００ｆ)による暖気循環を促進する制御は、吹出風量が最小のときに限らず、吹き出した温風が天井側に滞留しやすい風量のときに行ってもよい。
【００８１】
また、室内熱交換器１５の温度が基準温度を超えないように、暖気滞留防止部(１００ａ,１００ｅ,１００ｆ)により、圧縮機１１の運転周波数を制御してもよい。
【００８２】
また、上記実施の形態では、室内ファン２０から吹出空気の温度が基準温度を超えないように、圧縮機１１の運転周波数を制御したが、吹出空気の温度または室内熱交換器１５の温度が基準温度を超えないように、室内ファン２０の回転数または室外ファン１０の回転数の一方を制御してもよいし、圧縮機１１の運転周波数と室内ファン２０の回転数と室外ファン１０の回転数のうちの２つを制御してもよく、圧縮機１１の運転周波数と室内ファン２０の回転数と室外ファン１０の回転数の３つを制御してもよい。
【００８３】
また、おやすみ暖房運転時に風向制御部１００ｄにより吹出空気の風向を上向きにしたとき、室内ファン２０により室内熱交換器１５を介して吹き出す空気の温度(または室内熱交換器１５の温度)が基準温度を超えないように、暖気滞留防止部(１００ａ,１００ｅ,１００ｆ)の圧縮機制御部１００ｅにより圧縮機１１の運転周波数を制御するので、室内ファン２０の回転数を上げることで送風音が大きくなったり、室外ファン１０の回転数を下げることで室外熱交換器１３が着霜したりすることがなく、室内の天井側に暖気が滞留するのを防ぐことができる。
【００８４】
また、おやすみ暖房運転時に風向制御部１００ｄにより吹出空気の風向を上向きにしたとき、ピークカット制御部１００ｆにおいて、ピークカット制御用基準温度に代えて、ピークカット制御用基準温度(この実施の形態では５６℃)よりも低い基準温度を用いることにより、ピークカット制御部１００ｆによる圧縮機１１の運転周波数を制限することで、室内に吹き出す空気の温度を基準温度以下に下げる。このようにして、冷媒回路内の圧力が高圧異常とならないように圧縮機１１の運転周波数の上限を制限するためのピークカット制御部１００ｆを利用して、室内の天井側への暖気の滞留を防ぐことができる。
【００８５】
また、おやすみ暖房運転時に風向制御部１００ｄにより吹出空気の風向を上向きにしたとき、暖気滞留防止部(１００ａ,１００ｅ,１００ｆ)の室内ファン制御部１００ａによって、室内ファン２０の吹出風量が最小になるように室内ファン２０の回転数を制御するので、ファン送風音を低減できる。
【００８６】
また、おやすみ暖房運転時に風向制御部１００ｄにより吹出空気の風向を上向きにしたとき、室内温度や目標温度などに基づいて室内ファン制御部１００ａが吹出風量を制御する風量自動モードにおいて室内ファン２０の吹出風量が最小になった場合、室内熱交換器１５を介して吹き出す空気の温度または室内熱交換器１５の温度が基準温度を越えないように、圧縮機１１の運転回転数または室外ファン１０の回転数の少なくとも１つを制御するので、風量自動モードにおいても吹出風量が最小になったとき、室内の天井側への暖気の滞留を防ぐことができる。
【００８７】
上記実施の形態では、冷房運転、除湿運転および暖房運転を行う空気調和機について説明したが、この発明は、少なくとも暖房運転を行う空気調和機に適用することができる。また、加湿機能を備えた空気調和機にこの発明を適用してもよい。
【００８８】
この発明の具体的な実施の形態について説明したが、この発明は上記実施の形態に限定されるものではなく、この発明の範囲内で種々変更して実施することができる。
【符号の説明】
【００８９】
１…室外機
２…室内機
１０…室外ファン
１１…圧縮機
１２…四路切換弁
１３…室外熱交換器
１４…電動膨張弁
１５…室内熱交換器
１５ａ…補助熱交換器
１５ｂ…主熱交換器
１６…アキュムレータ
２０…室内ファン
２１…閉鎖弁
２２…閉鎖弁
Ｌ１,Ｌ２…連絡配管
Ｔ１…室外熱交換器温度センサ
Ｔ２…外気温度センサ
Ｔ３…蒸発温度センサ
Ｔ４…室内熱交換器温度センサ
Ｔ５…室内温度センサ
１００…制御装置
１００ａ…室内ファン制御部
１００ｂ…風量パターン切換部
１００ｃ…表示制御部
１００ｄ…風向制御部
１００ｅ…圧縮機制御部
１００ｆ…ピークカット制御部